(57)【要約】【目的】チャンネル設定における不都合や不満を解消することができるディジタル放送受信装置を提供する。【構成】ＣＰＵ１３はチャンネルスキャン時に検出された放送の受信レベルやＣ／Ｎ比などに基づいて受信信号品質を判定し、この受信信号品質を当該放送に対応付けてメモリ１４に記憶する。そして、スキャン時に選局操作が重複することとなる放送情報を持つ放送が検出された場合に、これら重複する放送の受信信号品質を比較し、受信信号品質が良い方の放送を前記放送情報に基づく選局操作に対応付ける設定を推奨するメッセージをＯＳＤ回路１２によって生成し、モニタ１６の画面に表示する。ユーザがリモコン送信機１０を用いてＹＥＳの指示を与えると、ＣＰＵ１３は上記推奨設定を実行する処理を行なう。【選択図】図１
2004208186.tif 000002
【特許請求の範囲】
【請求項１】
地上ディジタル放送局から送信されている放送をスキャンする手段と、前記スキャンによって検出された放送に多重されている放送情報に基づいてその放送とユーザの選局操作とを対応付ける手段と、ユーザにより選局操作が行なわれたときにその選局操作に対応する放送を選局する手段と、を備えたディジタル放送受信装置において、スキャン時に検出された放送の受信信号品質を判定する手段と、前記受信信号品質を当該放送に対応付けて記憶する手段と、を備えたことを特徴とするディジタル放送受信装置。
【請求項２】
請求項１に記載のディジタル放送受信装置において、スキャン時に選局操作が重複することとなる放送情報を持つ放送が検出された場合に、これら重複する放送の受信信号品質を比較し、受信信号品質が良い方の放送を前記放送情報に基づく選局操作に対応付ける設定を推奨するメッセージを画面表示する手段と、ユーザ指示に従って前記設定の処理を行なう手段と、を備えたことを特徴とするディジタル放送受信装置。
【請求項３】
請求項１に記載のディジタル放送受信装置において、スキャン時に選局操作が重複することとなる放送情報を持つ放送が検出された場合に、これら重複する放送の受信信号品質を比較し、受信信号品質が良い方の放送をその放送情報に基づく選局操作に対応付ける設定を行なう一方、他の放送局をその放送情報に基づく選局操作とは異なる選局操作に対応付ける設定を自動実行する手段と、を備えたことを特徴とするディジタル放送受信装置。
【請求項４】
請求項１乃至請求項３のいずれかに記載のディジタル放送受信装置において、選局操作が重複することとなる放送情報を持つ放送が複数周波数中継網（ＭＦＮ）の放送であるのかどうかを判断する手段と、選局操作が重複することとなる複数周波数中継網の各放送の受信信号品質を比較し、受信信号品質が良い方の放送をその放送情報に基づく選局操作に対応付ける設定を自動実行する手段と、を備えたことを特徴とするディジタル放送受信装置。
【請求項５】
請求項１乃至請求項４のいずれかに記載のディジタル放送受信装置において、定期又は不定期に再スキャンを繰り返し行なうと共に再スキャン時の受信信号品質の情報を蓄積していき、受信信号品質の比較に際して過去の受信信号品質が考慮されるように構成されたことを特徴とするディジタル放送受信装置。
【発明の詳細な説明】
【０００１】
【産業上の利用分野】
この発明は、ディジタル放送を受信するディジタル放送受信装置に関する。
【０００２】
【従来の技術】
衛星や地上波を用いたディジタル放送を受信するディジタル放送受信装置は、衛星アンテナや地上波アンテナを通して受け取った複数の放送波のなかから任意の放送波をディジタルチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
このようなディジタル放送では、放送事業者ごとにキー（ワンタッチキー，プリセットキー等）を割り当て、当該キーを操作することでダイレクトに所望の放送事業者のチャンネルを選択できるようにすることが考えられている。これに関する従来技術としては、所定の釦に対応して割り当てられている一つの放送事業者の複数のチャンネルのなかから一つのチャンネルを選局するものがある（特許文献１参照）。また、地上ディジタル放送では、放送波に、ＮＩＴ（Ｎｅｔｗｏｒｋ  Ｉｎｆｏｒｍａｔｉｏｎ  Ｔａｂｌｅ）と呼ばれる伝送路情報及びチャンネル関連情報を記載したテーブル内の記述内容（放送情報：地域識別子，サービス種別，放送局識別，サービス番号）が多重されており、サービス種別と前記サービス番号とリモコンキーＩＤとを用いた所定の計算式によって３桁のチャンネル番号を算出して各放送に割り当てるようになっている。
【０００４】
【特許文献１】
特開平１０−１４９４５１号公報
【０００５】
【発明が解決しようとする課題】
ところで、地上波ディジタル放送では、放送開始の時期が地域により異なっており、また、受信可能なチャンネルに関しても地域により大きく異なる。このため、放送受信装置の初期設置時にチャンネルスキャンが自動的に又はユーザ指示によって行なわれると考えられる。
【０００６】
しかしながら、地上波ディジタル放送では、前述のごとく、各放送（チャンネル）のリモートコントローラ（以下、リモコン送信機という）への割り当ては、物理チャンネルの番号で割り当てられるのではなく、前述した放送情報によって示される３桁番号やリモコンキーＩＤが示すリモコンキーに優先的に割り当てられる。この場合、初期スキャンにより割り当てられたリモコンキーが新規開局の放送が要望しているリモコンキーと重なることが生じる。この際、受信装置に設定された設置地域情報と放送情報のなかの地域識別子とに基づいていずれかの放送に優先的にリモコンキーを設定する処理が行なわれると想定されるが、ビルなどの建設によって或るチャンネルの受信状態が初期スキャン時よりも劣化する場合もあり、上記地域に基づく設定が必ずも最適であるとは言えない。また、複数周波数中継網（ＭＦＮ：multi frequency network ）と呼ばれる仕様（複数周波数で同一の内容を送信する）があり、初期設置時のチャンネルスキャンで検出された放送を固定的にリモコンキーに設定してしまう処理では、利用者とって望ましいものとならないことが生じる。
【０００７】
この発明は、上記の事情に鑑み、チャンネル設定における不都合や不満を解消することができるディジタル放送受信装置を提供することを目的とする。
【０００８】
【課題を解決するための手段】
この発明のディジタル放送受信装置は、上記課題を解決するために、地上ディジタル放送局から送信されている放送をスキャンする手段と、前記スキャンによって検出された放送に多重されている放送情報に基づいてその放送とユーザの選局操作とを対応付ける手段と、ユーザにより選局操作が行なわれたときにその選局操作に対応する放送を選局する手段とを備えたディジタル放送受信装置において、スキャン時に検出された放送の受信信号品質を判定する手段と、前記受信信号品質を当該放送に対応付けて記憶する手段とを備えたことを特徴とする。
【０００９】
上記の構成であれば、スキャン時に検出された放送の受信信号品質を当該放送に対応付けて記憶するので、かかる放送の受信信号品質を利用した各種処理が可能となり、チャンネル設定における不都合や不満の解消が可能となる。
【００１０】
スキャン時に選局操作が重複することとなる放送情報を持つ放送が検出された場合に、これら重複する放送の受信信号品質を比較し、受信信号品質が良い方の放送を前記放送情報に基づく選局操作に対応付ける設定を推奨するメッセージを画面表示する手段と、ユーザ指示に従って前記設定の処理を行なう手段と、を備えるのがよい。これによれば、ユーザには受信装置が判断した望ましい設定が提示されることになり、ユーザはその設定を望むのであれば、受信装置にその指示を与えることで、当該望ましい設定が行なわれることになる。
【００１１】
スキャン時に選局操作が重複することとなる放送情報を持つ放送が検出された場合に、これら重複する放送の受信信号品質を比較し、受信信号品質が良い方の放送をその放送情報に基づく選局操作に対応付ける設定を行なう一方、他の放送局をその放送情報に基づく選局操作とは異なる選局操作に対応付ける設定を自動実行する手段と、を備えたことを特徴とする。これによれば、受信装置が判断した望ましい設定が自動的に実行されることになる。
【００１２】
これらの構成において、選局操作が重複することとなる放送情報を持つ放送が複数周波数中継網（ＭＦＮ）の放送であるのかどうかを判断する手段と、選局操作が重複することとなる複数周波数中継網の各放送の受信信号品質を比較し、受信信号品質が良い方の放送をその放送情報に基づく選局操作に対応付ける設定を自動実行する手段と、を備えるのがよい。これによれば、複数周波数で同一の内容を送信する複数の放送のなかから受信信号品質が良い方の放送が選択されて自動的に設定が行なわれることになる。
【００１３】
また、これらの構成において、定期又は不定期に再スキャンを繰り返し行なうと共に再スキャン時の受信信号品質の情報を蓄積していき、受信信号品質の比較に際して過去の受信信号品質が考慮されるように構成されているのがよい。このように再スキャンが繰り返し行なわれることで、極力最新の状況に応じた設定が行なえることになる。また、過去の受信信号品質が考慮されることで、再スキャン時にたまたま停波中となっていた場合や、再スキャン時にたまたま電波状況が悪かったよう場合の影響を軽減できることになる。
【００１４】
【発明の実施の形態】
以下、この発明の実施形態のディジタル放送受信装置を図１乃至図３に基づいて説明する。
【００１５】
図１において、地上アンテナ１は屋外において所定の方向に向けて配置されており、地上ディジタル放送信号を受信する。この地上アンテナ１は受信した信号を地上波ディジタルチューナ２に与える。
【００１６】
地上波ディジタルチューナ２は、映像・音声データを含む高周波ディジタル変調信号のうちから特定周波数の信号を取り出す。また、地上波ディジタルチューナ２は、復調回路、逆インタリーブ回路、誤り訂正回路などを備え、選択したディジタル変調信号を復調してトランスポート・ストリームを出力する。また、このチューナ２は、受信放送波の受信レベル、Ｃ／Ｎ比、誤り訂正率情報などを取得し、これらの情報をＣＰＵ１３に出力する。
【００１７】
デマルチプレクサ（ＤＥＭＵＸ）３は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）や放送情報（地域識別子，サービス種別，放送局識別，サービス番号）に分離する。デマルチプレクサ３は、ビデオストリームとオーディオストリームをＡＶデコーダ４に供給し、ＰＳＩ／ＳＩや放送情報等をＣＰＵ１３に供給する。
【００１８】
ＡＶデコーダ４は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００１９】
映像処理回路５はＡＶデコーダ４から映像データを受け取ってＤ／Ａ変換を行い、例えばコンポジット映像信号に変換する。音声処理回路６はＡＶデコーダ４から出力された音声データを受け取ってＤ／Ａ変換を行い、例えば右（Ｒ）音のアナログ信号及び左（Ｌ）音のアナログ信号を生成する。
【００２０】
映像処理回路７及び音声出力回路８は出力抵抗や増幅器等を備えて成る。ＡＶ出力端子９には、出力部（左右音声出力端子等や映像出力端子等のセット）が設けられており、この出力部には、映像／音声コード１７によってＣＲＴ１６ａ及びスピーカ１６ｂを備えるモニタ１６が接続される。
【００２１】
ＯＳＤ（オンスクリーンディスプレイ）回路１２は、ＣＰＵ１３から出力指示された文字情報や色情報に基づく映像データを加算器２０に出力する。加算器２０は前記映像データをＡＶデコーダ４から出力される受信映像データに組み込む処理を行う。上記ＯＳＤ回路１２により、メッセージ画面や各種設定画面などの表示が行えることになる。
【００２２】
リモコン送信機１０は各種のキーを備えて当該放送受信装置３０に各種指令を送出するものであり、前記キーを操作すると、そのキーに対応した指令を意味する信号光（リモコン信号）が発光部から送出される。リモコン受光器１１は、前記信号光を受光し、これを電気信号に変換してＣＰＵ１３に与える。なお、この実施形態においては、リモコン送信機１０に設けた「１」乃至「１２」の数字が表記されたキーをワンタッチキーとし、各ワンタッチキーに放送が割り当てられるようにしている。また、リモコン送信機１０の「数字入力」キーを操作したときには、引き続いて３桁分のキー操作を行なうことでチャンネル番号入力による選局が行なえるようにしている。
【００２３】
メモリ（例えば、ＲＡＭ、ＥＥＰＲＯＭ、フラッシュメモリ等）１４には、ＥＰＧ画面を表示するための情報、チャンネルテーブル（周波数情報や放送局名等をリモコンキーＩＤやチャンネル番号に対応させたチャンネルリスト）、各放送波の受信信号品質を示す情報等が格納される。
【００２４】
ＣＰＵ１３は、このディジタル放送受信装置３０における全体制御を行うものであるが、特にこの発明にかかる処理として、以下に示す処理を実行する。
【００２５】
図２は、初期スキャンの処理を示したフローチャートである。例えば、ユーザにより初めて受信装置３０の電源が投入されたとき（ステップＳ１）、地上ディジタル放送が送信される全てのチャンネル（周波数）に対して初期スキャンを開始する（ステップＳ２）。このチャンネルスキャンは順次周波数を上げて最も高い周波数まで続ける（例えば、１３ｃｈ乃至６１ｃｈまで）。
【００２６】
ＣＰＵ１３は、周波数及びＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）パラメータを設定し、チューナ２に地上ディジタル放送が送信される周波数（チャンネル）を選局させ（ステップＳ３）、受信可能判定を行う（ステップＳ４）。当該チャンネルで放送波を受信できた場合には、当該放送の受信信号品質を判定し、これをメモリ１４に記憶する（ステップＳ５）。受信信号品質は、受信レベルやＣ／Ｎ比などのそのものの値としてもよいし、これらを平均した値などとしてもよい。
【００２７】
また、ＣＰＵ１３は、トランスポート・ストリームからＰＳＩを分離し、ＮＩＴ（Ｎｅｔｗｏｒｋ  Ｉｎｆｏｒｍａｔｉｏｎ  Ｔａｂｌｅ）やＢＩＴ（Ｂｒｏａｄｃａｓｔｅｒ  Ｉｎｆｏｒｍａｔｉｏｎ  Ｔａｂｌｅ）を取得し、これらのなかから３桁チャンネル番号やリモコンキーＩＤなどの情報を取得してその放送と対応付け、この対応付け情報をメモリ１４に記憶する（ステップＳ６）。当該放送を受信するための周波数情報等はリモコンキーＩＤが示す番号のワンタッチキーに対応付けされる。すなわち、○○放送局が放送情報にリモコンキーＩＤとして「３」を付加して送信することにより、受信装置の側ではこの情報を受信してリモコンキーＩＤを取得し、リモコン送信機１０のワンタッチキー「３」に○○放送局を設定することになる。以降、ユーザによってリモコン送信機１０のキー「３」が押下されると、○○放送局のチャンネルが選局されるようになる。
【００２８】
ＣＰＵ１３は、検出された放送波から取得したリモコンキーＩＤがメモリ１４に記憶された他のチャンネル（放送）のリモコンキーＩＤと重複するかどうかを判断する（ステップＳ７）。リモコンキーＩＤが他のチャンネルのリモコンキーＩＤと重複すると判断した場合には、例えば「リモコンキーＩＤが重複しています」といったメッセージを生成して画面にＯＳＤ表示させる。更に、重複したチャンネルの受信信号品質を比較し、受信信号品質が良好である方をリモコンキーＩＤが示す番号のワンタッチキーに設定するように推奨するＯＳＤ表示を行う（ステップＳ８）。例えば、○○放送局と△△放送局のリモコンキーＩＤがどちらも「３」であり、○○放送局の受信信号品質の方が良好である場合には「○○放送局の受信品質が良好です。○○放送局をワンタッチキー「３」に登録していいですか。」といったメッセージと「ＹＥＳ」「ＮＯ」ボタンをＯＳＤ表示する。ユーザが「ＹＥＳ」ボタンを選択したときには、○○放送局の選局情報をワンタッチキー「３」に対応させて保存する（ステップＳ９）。そして、ＣＰＵ１３は、当該リモコンキーＩＤが示す番号のワンタッチキーに登録されなかった側のチャンネル（上記の例では△△放送局）を空いているワンタッチキーに設定する（ステップＳ１０）。
【００２９】
ステップＳ４において放送を受信できなかった場合には、次のチャンネル選局を行なうべく順次周波数を上げてステップ３からの処理を続ける。また、ステップＳ７で重複するリモコンキーＩＤがない場合には、次のチャンネル選局を行なうべく順次周波数を上げてステップ３からの処理を続ける。また、上記のワンタッチキー設定処理の後も次のチャンネル選局を行なうべく順次周波数を上げてステップ３からの処理を続ける。全てのチャンネルについてこれらの処理を実行したなら、スキャン処理を終了する（ステップＳ１１）。
【００３０】
図３は、受信装置３０のスタンバイ時などに実行される再スキャンの処理内容を示したフローチャートである。例えばユーザにより受信装置３０の電源がＯＦＦされると（ステップＳ２１）、ＣＰＵ１３は再スキャン実行時まで待機する処理を行なう（ステップＳ２２）。すなわち、電源がＯＦＦされた時からの一定時間経過或いは特定の計算により算出された時間の経過を判定し、この時間経過後に再スキャンを開始する（ステップＳ２３）。勿論、受信装置３０の電源ＯＦＦ直後に再スキャンを開始することとしてもよい。
【００３１】
ＣＰＵ１３は、周波数及びＯＦＤＭパラメータを設定し、地上波ディジタルチューナ２に地上ディジタル放送が送信される周波数（チャンネル）を選局させ（ステップＳ２４）、受信可能判定を行う（ステップＳ２５）。当該チャンネルで放送が受信できた場合には、受信信号品質（受信レベル，Ｃ／Ｎ比等）を判定し、これをメモリ１４に記憶する（ステップＳ２６）。この再スキャンによって新たな放送が検出されたり、或いは、以前には受信可能であった放送が今回においては受信不能になっているといったことが生じる。また、放送が本来は存在するのにスキャン時にたまたま停波中となることがある。また、スキャン時にたまたま或るチャンネルの電波状況が悪くなることもあり得る。
【００３２】
ＣＰＵ１３は、放送が受信できた場合には、ＮＩＴやＢＩＴを取得し、これらのなかから３桁チャンネル番号やリモコンキーＩＤなどの情報を取得し、新たな放送が見つかれば、これら情報と周波数情報等と対応付けてメモリ１４に記憶する（ステップＳ２７）。また、ＣＰＵ１３は、現在スキャン中のチャンネルについて取得したリモコンキーＩＤがメモリ１４に記憶された他のチャンネルのリモコンキーＩＤと重複するかどうかを判断する（ステップＳ２８）。リモコンキーＩＤが他のチャンネルのリモコンキーＩＤと重複すると判断した場合には、ＭＦＮ（multi frequency network ）であるかどうかを判断する（ステップＳ２９）。ＭＦＮの判断は、ＮＩＴにおいて複数の物理チャンネルの情報が記述されているかどうかによって判断できるが、ＭＦＮかどうかを記述している情報が放送波に載せられているのであれば、当該情報によって判断することができる。ＭＦＮである場合、すなわち、同じ放送局（系列）であって周波数（チャンネル）が異なっている場合は、メモリ１４から両放送の受信信号品質を読み出してその比較を行い、受信信号品質が良い放送（チャンネル）をその放送情報のリモコンキーＩＤが示す番号のワンタッチキーに設定し（ステップＳ３０）、ステップＳ２４に戻る。これにより、同じ放送局（系列）が複数の周波数（チャンネル）で同じ放送を行なっている場合において、受信信号品質が良い方のチャンネルが自動的に（ユーザの確認処理は不要）選択されることになる。
【００３３】
一方、ＭＦＮでない場合には、メモリ１４から両放送の受信信号品質を読み出してその比較を行い、受信信号品質が良い放送（チャンネル）をその放送情報のリモコンキーＩＤが示す番号のワンタッチキーに設定するための設定変更情報をメモリ１４に記憶する（ステップＳ３１）。そして、受信信号品質が悪い放送（チャンネル）を空いている別ワンタッチキーに設定するための設定変更情報をメモリ１４に記憶する（ステップＳ３２）。
【００３４】
全てのチャンネルについて再スキャンが完了すると（ステップＳ３３）、前述の設定変更情報があるときには、その設定変更情報をもとに推奨設定のメッセージを生成し、ユーザにより受信装置３０の電源がＯＮされたときに表示させることになる。例えば、「○○放送局と△△放送局でリモコンキーＩＤの重複がありました。○○放送局をワンタッチキー「３」に、△△放送局をワンタッチキー「５」に登録していいですか。」といったメッセージと「ＹＥＳ」「ＮＯ」ボタンをＯＳＤ表示する（ステップＳ３４）。ユーザが「ＹＥＳ」ボタンを選択したときには、設定変更情報をもとにワンタッチキーへの設定を行い（ステップＳ３５）、処理を終了する。これにより、リモコンキーＩＤが同じだが互いに異なる放送局については、受信信号品質の良い放送局が当該放送局が望んでいるリモコンキーに割り当てられることになり、他の放送局は空いているリモコンキーに割り当てられることになる。
【００３５】
更に、一定時間が経過するごとに或いは特定の式により算出される時間が経過するごとに、再スキャンを行い、前述の動作を繰り返すことにより信頼性の高いチャンネル設定が可能となる。
【００３６】
なお、上記の例では、再スキャン時の受信信号品質だけを比較することとしたが、過去のスキャンの受信信号品質を保持しておき、過去と今回の受信信号品質の平均値などに基づいて判定対象となる受信信号品質を得るようにしてもよい。このように過去の受信信号品質を考慮すると、スキャン時にたまたま停波中となっていた場合や、スキャン時にたまたま電波状況が悪かったよう場合の影響を軽減できることになる。勿論、停波かどうかの判断を確実に行なうために、前回は放送波が検出されたのに今回は放送波が検出されなかったチャンネルは一旦保留とし、次回の再スキャンを待つこととしてもよい。また、上記の例では、初期スキャンではＭＦＮ判定は行なわなかったが、再スキャンと同様、ＭＦＮ判定を行なうこととしてもよい。
【００３７】
【発明の効果】
以上説明したように、この発明によれば、チャンネル設定における不都合や不満を解消することができるという効果を奏する。
【図面の簡単な説明】
【図１】この発明の実施形態のディジタル放送受信装置を示したブロック図である。
【図２】この発明の実施形態のディジタル放送受信装置の初期スキャン時の処理内容を示したフローチャートである。
【図３】この発明の実施形態のディジタル放送受信装置の再スキャン時の処理内容を示したフローチャートである。
【符号の説明】
１    アンテナ
２    チューナ
３    デマルチプレクサ（ＤＥＭＵＸ）
４    ＡＶデコーダ
１２  ＯＳＤ回路
１３  ＣＰＵ
１４  メモリ
【図１】
2004208186.tif 000003
【図２】
2004208186.tif 000004
【図３】
2004208186.tif 000005